(57)【特許請求の範囲】
【請求項１】
パイプ材（２９，７０）の軸心方向の一端面に当接する当接部材（４６，６４）を、該当接部材（４６，６４）の前記パイプ材（２９，７０）と反対側に当接する頭部（４９）と、該頭部（４９）から前記当接部材（４６，６４）を前記軸心方向に貫通して前記パイプ材（２９，７０）の内周孔（４５）内に突出する軸部（５０）と、該軸部（５０）の先端側に設けられ且つ前記内周孔（４５）側から前記パイプ材（２９，７０）に係合する拡径部（５１）とを有するリベット（４８，７４）により前記パイプ材（２９，７０）に固定したエクステリア構造物において、前記パイプ材（２９，７０）の前記拡径部（５１）に対応する位置に、前記内周孔（４５）と略直角に交差して前記パイプ材（２９，７０）を略径方向に貫通する係合孔（４４）を設け、前記内周孔（４５）の前記径方向の両側で該内周孔（４５）と前記係合孔（４４）の前記当接部材（４６，６４）側との間に形成された角部に前記拡径部（５１）が係合していることを特徴とするエクステリア構造物。
【請求項２】
複数のリンク部材（２５，２６）がパイプ製の枢軸（２９，７０）により連結されたパンタグラフ機構（８，６２）を有する扉体（５）を備え、前記枢軸（２９，７０）の軸心方向の一端面に当接する当接部材（４６，６４）を、該当接部材（４６，６４）の前記枢軸（２９，７０）と反対側に当接する頭部（４９）と、該頭部（４９）から前記当接部材（４６，６４）を前記軸心方向に貫通して前記枢軸（２９，７０）の内周孔（４５）内に突出する軸部（５０）と、該軸部（５０）の先端側に設けられ且つ前記内周孔（４５）側から前記枢軸（２９，７０）に係合する拡径部（５１）とを有するリベット（４８，７４）により前記枢軸（２９，７０）に固定した伸縮門扉において、前記枢軸（２９，７０）の前記拡径部（５１）に対応する位置に、前記内周孔（４５）と略直角に交差して前記枢軸（２９，７０）を径方向に貫通する係合孔（４４）を設け、前記内周孔（４５）の前記径方向の両側で該内周孔（４５）と前記係合孔（４４）の前記当接部材（４６，６４）側との間に形成された角部に前記拡径部（５１）が係合していることを特徴とする伸縮門扉。
【請求項３】
前記パンタグラフ機構（８）の前記リンク部材（２６）の先端部を前記扉体（５）の端枠（１５）側の前記枢軸（２９）により枢着し、前記係合孔（４４）を覆う部材（３０）を前記枢軸（２９）に套嵌したことを特徴とする請求項２に記載の伸縮門扉。
【請求項４】
前記扉体（５）は前記各リンク部材（２５，２６）が縦軸廻りに回動自在に連結された上下一対の前記パンタグラフ機構（８）と、該パンタグラフ機構（８）の端部間に上下方向に設けられた連結枠（１１）と、該連結枠（１１）の上下両端に前後に所定の間隔をおいて設けられ且つ前記パンタグラフ機構（８）の前後一対の端部リンク部材（２６）の先端部が回動自在に夫々套嵌された前記枢軸（２９）とを備え、前後の前記枢軸（２９）の端面に当接する連結板（４６）を前記リベット（４８）により前記各枢軸（２９）に固定したことを特徴とする請求項２又は３に記載の伸縮門扉。
【請求項５】
前記端部側のリンク部材（２６）は筒部（３０）を一体に有し、該筒部（３０）が前記係合孔（４４）を覆うように前記枢軸（２９）の外周に套嵌されていることを特徴とする請求項４に記載の伸縮門扉。
【発明の詳細な説明】
【技術分野】
【０００１】
本発明は、エクステリア構造物及び伸縮門扉に関し、取り分けそのパイプ又はパイプ製の枢軸に対するリベット止め構造に関するものである。
【背景技術】
【０００２】
門扉、フェンス、カーポート等のエクステリア構造物においては、パイプの先端に所要部材を当接し、この所要部材をリベットによりパイプに固定する構造が採用されている。例えば、パンタグラフ式の伸縮門扉には、Ｘ状に交差する複数の斜架材の交差部を相対回動自在に連結する上下方向に複数個の枢軸の内、その１個の固定枢軸の両端を前後両側に縦桟に固定し、他の可動枢軸を前後両側の縦桟に対して上下摺動自在に設けたものがある。
【０００３】
この種の伸縮門扉では、両端に絞り加工により絞り部が形成されたパイプにより固定枢軸を構成し、この固定ピン軸の両端を縦桟に当接し、この縦桟の外側から固定ピン軸にリベットを打ち、その先端の拡径部を固定ピン軸の絞り部の内周に係合させている（特許文献１）。
【特許文献１】特開平１０−１５３０７２号公報の図７
【発明の開示】
【発明が解決しようとする課題】
【０００４】
従来のリベット止め構造は、伸縮門扉の固定枢軸の場合を例示するように、絞り部が滑らかに変化する内面形状となるにも拘わらず、その絞り部の内周にリベットの拡径部を内側から係合させているため、絞り部の内面形状にバラツキがあれば、そのバラツキが拡径部の係合状態に直接に影響する欠点がある。しかも伸縮門扉等を長期間にわたって使用すれば、絞り部と拡径部と係合部分に摩耗が生じ易く、その摩耗によってガタツキが発生したり、場合によってはリベットが固定枢軸から離脱したりする等の惧れもある。
【０００５】
本発明は、このような従来の問題点に鑑み、簡単な構造でリベットの拡径部をパイプ材又は枢軸に対して容易且つ確実に係合できるエクステリア構造物及び伸縮門扉を提供することを目的とする。
【課題を解決するための手段】
【０００６】
本発明のエクステリア構造物は、パイプ材２９，７０の軸心方向の一端面に当接する当接部材４６，６４を、該当接部材４６，６４の前記パイプ材２９，７０と反対側に当接する頭部４９と、該頭部４９から前記当接部材４６，６４を前記軸心方向に貫通して前記パイプ材２９，７０の内周孔４５内に突出する軸部５０と、該軸部５０の先端側に設けられ且つ前記内周孔４５側から前記パイプ材２９，７０に係合する拡径部５１とを有するリベット４８，７４により前記パイプ材２９，７０に固定したエクステリア構造物において、前記パイプ材２９，７０の前記拡径部５１に対応する位置に、前記内周孔４５と略直角に交差して前記パイプ材２９，７０を略径方向に貫通する係合孔４４を設け、前記内周孔４５の前記径方向の両側で該内周孔４５と前記係合孔４４の前記当接部材４６，６４側との間に形成された角部に前記拡径部５１が係合している。
【０００７】
本発明の伸縮門扉は、複数のリンク部材２５，２６がパイプ製の枢軸２９，７０により連結されたパンタグラフ機構８，６２を有する扉体５を備え、前記枢軸２９，７０の軸心方向の一端面に当接する当接部材４６，６４を、該当接部材４６，６４の前記枢軸２９，７０と反対側に当接する頭部４９と、該頭部４９から前記当接部材４６，６４を前記軸心方向に貫通して前記枢軸２９，７０の内周孔４５内に突出する軸部５０と、該軸部５０の先端側に設けられ且つ前記内周孔４５側から前記枢軸２９，７０に係合する拡径部５１とを有するリベット４８，７４により前記枢軸２９，７０に固定した伸縮門扉において、前記枢軸２９，７０の前記拡径部５１に対応する位置に、前記内周孔４５と略直角に交差して前記枢軸２９，７０を径方向に貫通する係合孔４４を設け、前記内周孔４５の前記径方向の両側で該内周孔４５と前記係合孔４４の前記当接部材４６，６４側との間に形成された角部に前記拡径部５１が係合している。
【０００８】
前記パンタグラフ機構８の前記リンク部材２６の先端部を前記扉体５の端枠１５側の前記枢軸２９により枢着し、前記係合孔４４を覆う部材３０を前記枢軸２９に套嵌してもよい。前記扉体５は前記各リンク部材２５，２６が縦軸廻りに回動自在に連結された上下一対の前記パンタグラフ機構８と、該パンタグラフ機構８の端部間に上下方向に設けられた連結枠１１と、該連結枠１１の上下両端に前後に所定の間隔をおいて設けられ且つ前記パンタグラフ機構８の前後一対の端部リンク部材２６の先端部が回動自在に夫々套嵌された前記枢軸２９とを備え、前後の前記枢軸２９の端面に当接する連結板４６を前記リベット４８により前記各枢軸２９に固定してもよい。
【０００９】
前記端部側のリンク部材２６は筒部３０を一体に有し、該筒部３０が前記係合孔４４を覆うように前記枢軸２９の外周に套嵌されていることもある。
【発明の効果】
【００１０】
本発明では、簡単な構造でリベットの拡径部をパイプ材又は枢軸に対して容易且つ確実に係合できる利点がある。
【発明を実施するための最良の形態】
【００１１】
以下、本発明の実施例を図面に基づいて詳述する。図１〜図７は水平パンタグラフ式の伸縮門扉に採用した本発明の第１の実施例を例示する。
【００１２】
この伸縮門扉は、図１（Ａ）〜（Ｃ）に示すように、出入口１の左右両側で地面２上に立設された吊り元支柱３及び戸当たり支柱４と、吊り元支柱３及び戸当たり支柱４間に左右方向に伸縮自在に配置され且つ出入口１を開閉する扉体５とを有する。戸当たり支柱４には、上下一対の連結部材６を介して施錠受け枠７が固定されている。
【００１３】
扉体５は左右方向に伸縮自在に構成された上下一対のパンタグラフ機構８と、この両パンタグラフ機構８の中間部分を上下に連結する左右方向に複数本の連結桟９，１０と、両パンタグラフ機構８の両端部分を上下に連結する連結枠１１とを備えている。
【００１４】
なお、扉体５は、吊り元側の連結枠１１が上下方向のヒンジ１２、連結部材１３を介して吊り元支柱３に回動自在に連結されており、図１（Ａ）（Ｂ）に二点鎖線で示す収縮状態（開状態）と、図１（Ａ）（Ｂ）に実線で示す伸長状態（閉状態）との間で伸縮自在である。また扉体５は収縮状態でヒンジ１２廻りに回転収納可能である。
【００１５】
扉体５の戸当たり側の連結枠１１には、把手１４等を有する施錠端枠１５が装着され、その施錠端枠１５が施錠受け枠７に当接して施錠されるようになっている。更に扉体５には、左右方向の略中央部に中間落とし棒装置１６が、施錠端枠１５に端部落とし棒装置１７が夫々設けられている。
【００１６】
各落とし棒装置１６，１７は地面２側の落とし孔１８，１９に対して挿脱自在な落とし棒２０，２１と、この落とし棒２０，２１を上下方向に操作する操作体２２，２３とを備えている。扉体５の略中央部、戸当たり端側には、地面２上を走行する走行車輪２４が設けられている。
【００１７】
パンタグラフ機構８は、図２（Ａ）（Ｂ）に示すように、平面視Ｘ字状に交差して配置された左右方向に複数組の一対の中間リンク部材２５と、両端に平面視八の字状に配置された一対の端部リンク部材２６とを有し、連結桟９，１０、枢軸２９を介して縦軸廻りに水平方向に屈伸しながら左右方向に伸縮自在である。一対の中間リンク部材２５はその略中央の交差部で連結桟９により相対回動自在に連結され、また左右方向に隣り合う各組の中間リンク部材２５はその先端部で連結桟１０により相対回動自在に連結されている。
【００１８】
一対の端部リンク部材２６は、内端側が対応する端部側の中間リンク部材２５の先端部に連結桟１０により相対回動自在に連結され、また外端側の円筒部３０が前後に近接して配置された連結枠１１の上下両端の枢軸２９に相対回動自在に套嵌されている。
【００１９】
連結枠１１は一対のパンタグラフ機構８を端部側で上下方向に連結するもので、連結枠１１は上下のパンタグラフ機構８間に上下方向に配置されており、その戸当たり側の連結枠１１は施錠端枠１５に当接して固定されている。即ち、施錠端枠１５には、図３〜図７に示すように、連結枠１１に対応する側壁３２の前後両端に突部３３が上下方向の略全長に設けられ、連結枠１１はその突部３３間に嵌合し、側壁３４がパンタグラフ機構８の近傍に配置された締結ユニット３６により施錠端枠１５の側壁３２に締結されている。締結ユニット３６は締結ネジ３７と、この締結ネジ３７が螺合する当て板３８とを有し、当て板３８は連結枠１１の側壁３４にリベット３９により固定されている。
【００２０】
連結枠１１の上下両端には、図３〜図７に示すようにパイプ材からなる枢軸２９が固定されている。枢軸２９は筒状の連結枠１１の内部に形成された前後一対の軸保持部４１内に挿入して側壁３４側からリベット４２により固定されている。
【００２１】
各枢軸２９には軸保持部４１に嵌合する部分にリベット孔４３が、軸保持部４１と反対側の端部に係合孔４４が夫々上下方向の内周孔４５に開口するように径方向に貫通して形成されている。
【００２２】
リベット孔４３、係合孔４４は図４〜図７に示すように、枢軸２９の内周孔４５と略同じ程度の孔径であり、リベット孔４３と内周孔４５との交差部分、係合孔４４と内周孔４５との交差部分は、夫々の内周面に沿って略直角状の角が形成されている。枢軸２９は連結枠１１の側壁３４側からリベット孔４３に打ち込まれたリベット４２により連結枠１１に固定されている。係合孔４４は枢軸２９に套嵌された端部リンク部材２６の円筒部３０より外側から覆われている。
【００２３】
端部リンク部材２６の円筒部３０の上下両側には、一対の枢軸２９を前後に連結する連結板４６，４７が設けられている。下側の連結板４７は端部リンク部材２６の円筒部３０と連結枠１１との間で両枢軸２９に套嵌され、その側縁が突部３３間で施錠端枠１５の側壁３２に当接している。上側の連結板４６は枢軸２９の先端に当接され、上下方向に貫通して内周孔４５に打ち込まれたリベット４８により枢軸２９に固定されている。なお、連結板４６は当接部材を構成するもので、端部リンク部材２６の抜け止め板を兼用している。
【００２４】
リベット４８は例えばブラインドリベット等であり、図５に示すように頭部４９と、この頭部４９と一体の軸部５０とを有し、その軸部５０の先端には枢軸２９の内周孔４５側からその両側の係合孔４４に係合する拡径部５１が形成されている。拡径部５１は軸部４９の先端側をカシメることにより、その軸部４９の先端部が外側に拡径したものであり、枢軸２９の内周孔４５側から、その径方向の両側で係合孔４４との間に形成された略直角状の角に食い込んだ状態で係合孔４４に係合する。なお、リベット４２の場合も略同様にリベット孔４３から内周孔４５に係合している。
【００２５】
上記構成の伸縮門扉において、出入口１を閉じる場合には、扉体５を伸ばして施錠端枠１５を施錠受け枠７に当接し施錠装置により施錠する。このとき各パンタグラフ機構８では、その前後一対の端部リンク部材２６の先端部を連結枠１１側の前後の枢軸２９に連結し、その連結枠１１に施錠端枠１５を固定しているため、施錠端枠１５をパンタグラフ機構８に対して所定の角度に保持できる。従って、施錠端枠１５を施錠受け枠７に合わせて行けば、両者の対向端面を容易且つ確実に当接させることができる。そして、中間落とし棒装置１６、端部落とし棒装置１７の落とし棒２０，２１を地面２側の落とし孔１８，１９に落とし込んで扉体５をロックする。
【００２６】
各パンタグラフ機構８の端部側では、中間部分を上下に連結する連結桟９，１０とは異なり、枢軸２９により各端部リンク部材２６を回動自在に枢支すると共に、枢軸２９が上下両端に固定された連結枠１１を介してパンタグラフ機構８の端部側を上下に連結しているため、その連結枠１１を介して施錠端枠１５を容易に結合できる。
【００２７】
また連結枠１１の上下両端に前後２本の枢軸２９を固定しているが、端部リンク部材２６の円筒部３０の上下両側に連結板４６，４７を設けて前後の枢軸２９を連結しているため、各枢軸２９を連結枠１１の上下に確実に固定でき、両枢軸２９間の間隔が前後に広がってパンタグラフ機構８の伸縮動作に支障を来すようなことはない。
【００２８】
更に連結板４６は枢軸２９の端面に当接してリベット４８で固定しているが、枢軸２９に係合孔４４を形成し、リベット４８の先端の拡径部５１が枢軸２９の内周孔４５側から係合孔４４に係合しており、内周孔４５と係合孔４４との間に形成された略直角状の角に食い込んだ状態で拡径部５１が係合する。従って、リベット４８の拡径部５１が枢軸２９に確実に係合し、枢軸２９の端面に当接する連結板４６をリベット４８により容易且つ確実に固定できる。
【００２９】
しかも、パイプ材からなる枢軸２９に係合孔４４を加工する程度で良いので、前処理も簡単にできる。また枢軸２９の途中に係合孔４４を形成しているが、その係合孔４４は枢軸２９に套嵌された筒状部で覆われているので、係合孔４４が外部に露出するようなこともない。
【００３０】
また連結枠１１はその上下両端部のパンタグラフ機構８の近傍で締結ユニット３６により施錠端枠１５に固定しているため、連結枠１１の上下両側に枢軸２９があるにも拘わらず、枢軸２９の倒れ等を確実に防止できる。
【００３１】
図８は本発明の第２の実施例を例示する。この実施例は、第１の実施例と同様な構成の水平リンク式の伸縮門扉の吊り元側を例示する。パンタグラフ機構８の吊り元側の端部リンク部材２６は連結枠１１の上下両端の枢軸２９に連結され、その枢軸２９の両端面に当接する連結板４６が第１の実施例と同様にリベット４８により固定されている。
【００３２】
連結枠１１と連結部材１３とを縦方向のヒンジ軸５５により枢着するヒンジ１２は、連結枠１１に固定されたコの字状のヒンジ金具５６を有し、そのヒンジ金具５６に連結部材１３の円筒部５７がヒンジ軸５５により回動自在に枢支されている。ヒンジ軸５５はパイプ材により構成され、その両端面に抜け止め板５８が当接してリベット５９により固定されている。ヒンジ軸５５には第１の実施例の枢軸２９と同様に内周孔４５と係合孔４４が形成され、その係合孔４４にリベット５９の拡径部５１が係合している。なお、係合孔４４は、ヒンジ軸５５の外周の円筒部３０により覆われている。
【００３３】
このようにパイプ材からなるヒンジ軸５５の端面に抜け止め板５８を当接して、この抜け止め板５８をリベット５９によりヒンジ軸５５に固定する場合にも、同様に実施可能である。
【００３４】
図９、図１０は本発明の第３の実施例を例示する。この実施例では、垂直パンタグラフ式のパンタグラフ機構６２の扉体５を採用した伸縮門扉を例示する。この伸縮門扉の扉体５は、図９に示すように、左右方向に等間隔をおいて配置された複数の縦枠材６３と、左右方向に伸縮自在に構成されたパンタグラフ機構６２とを備え、パンタグラフ機構６２を収縮させたときに、各縦枠材６３が当接又は近接するようになっている。。
【００３５】
各縦枠材６３は図９に示すように、パンタグラフ機構６２の前後両側に配置された前後一対の縦桟６４を備え、その各縦桟６４は上下両端側で互いに前後方向に結合されている。各縦桟６４は図１０に示すように角筒状であって、そのパンタグラフ機構６２側に内向きに屈曲する左右一対の内向きリブ６５を有し、反対側に左右一対の突出リブ６６と、この突出リブ６６の内側で外向きに屈曲する外向きリブ６７とを有する。内向きリブ６５、突出リブ６６、外向きリブ６７は上下方向の略全長に設けられている。縦桟６４には突出リブ６６、外向きリブ６７を介してカバー６８が上下方向の略全長に装着されている。
【００３６】
パンタグラフ機構６２は、図９に示すように、Ｘ状に交差する複数の斜架リンク部材６９の交差部を前後方向のピン軸７０，７１により相対回動自在に枢着して構成されている。各縦枠材６３に対応する複数の交差部の内、その１個の交差部は図１０に示すように固定ピン軸７０により縦枠材６３に固定され、他の交差部は可動ピン軸７１により縦枠材６３に対して上下摺動自在に連結されている。
【００３７】
固定ピン軸７０は前後両端部が内壁７２を貫通して各縦桟６４内に挿入され、リベット７４により各縦桟６４の外壁７３に固定されている。固定ピン軸７０の両端部に略直径方向の係合孔４４が内周孔４５に開口するように形成されている。係合孔４４はピン軸７０の内周孔４５と略同じ程度の孔径であり、係合孔４４と内周孔４５との交差部分にリベット７４の軸部５０側の拡径部５１が係合している。なお、固定ピン軸７０の両端部は縦枠材６３内に挿入されており、係合孔４４は縦枠材６３により覆われている。
【００３８】
このような伸縮門扉において、その固定ピン軸７０の端面に縦枠材６３の外壁７３を当接して、その縦枠材６３をリベット７４でピン軸７０に固定する場合にも同様に実施可能である。
【００３９】
以上、本発明の実施例について詳述したが、この実施例に限定されるものではなく、本発明の趣旨を逸脱しない範囲で種々の変更が可能である。例えば、実施例では、水平パンタグラフ式の伸縮門扉において、その端部リンク部材２６を枢着する枢軸２９の端面に連結板４６をリベット４８により固定する場合と、垂直パンタグラフ式の伸縮門扉において、縦桟６４を枢着する固定ピン軸７０の端面に縦枠材６３をリベット７４により固定する場合とを例示しているが、その他の各種のエクステリア構造物において、枢軸２９、ピン軸７０以外のパイプ材の先端に、連結板４６、縦桟６４以外の当接部材を固定する場合にも、そのパイプ材に係合孔４４を形成することにより、各実施例と同様にリベット４８，７４の拡径部５１を係合することが可能である。
【００４０】
係合孔４４は内周孔４５よりも大径でも良いし、小径でも良い。従って、略同径である必要はない。また係合孔４４は内周孔４５に対して直角方向である必要もなく、内周孔４５を横切る方向であればよい。パイプ材は丸パイプ以外のものでもよい。また棒材の先端に軸心方向に内周孔４５を形成したものの場合にも、棒材の内周孔４５に対応する部分はパイプ材に相当するものとなる。
【図面の簡単な説明】
【００４１】
【図１】本発明の第１の実施例を示し、（Ａ）は伸縮門扉の平面図、（Ｂ）はその正面図、（Ｃ）はその側面図である。
【図２】（Ａ）は同扉体の要部の拡大平面図、（Ｂ）はその正面図である。
【図３】同扉体の端部側の正面断面図である。
【図４】同扉体の端部側の一部破断平面図である。
【図５】同扉体の端部の一部破断正面図である。
【図６】同扉体の端部の一部破断側面図である。
【図７】同扉体の端部側の平面断面図である。
【図８】本発明の第２の実施例を示す一部破断展開図である。
【図９】本発明の第３の実施例を示す扉体の正面図である。
【図１０】同固定ピン軸部の拡大断面図である。
【符号の説明】
【００４２】
５  扉体
８  パンタグラフ機構
１１  連結枠
２６  端部リンク部材
２９  枢軸（パイプ材）
３０  円筒部
４４  係合孔
４５  内周孔
４６  連結板（当接部材）
４８  リベット
５１  拡径部
【図１】
0005134332.tif 000002
【図２】
0005134332.tif 000003
【図３】
0005134332.tif 000004
【図４】
0005134332.tif 000005
【図５】
0005134332.tif 000006
【図６】
0005134332.tif 000007
【図７】
0005134332.tif 000008
【図８】
0005134332.tif 000009
【図９】
0005134332.tif 000010
【図１０】
0005134332.tif 000011